(57)【特許請求の範囲】
【請求項１】
複数のコンポーネントキャリアを有する無線通信システムにおいてデータ信号および制御信号を送信する方法であって、コンポーネントキャリアそれぞれが、送信スロット、サブバンド周波数、符号、放射パターンのうちの少なくとも１つによって指定される物理リソース、を備えており、
データ信号を送信するためのリソースを第１のコンポーネントキャリアに対して指定するスケジューリング割当て（１１１１）、を生成するステップ（１１１０）と、
第２のコンポーネントキャリアにおいてスケジューリング割当て（１１１１）が生成されたかを指定する割当てマップ（１１２１）、を求める（１１２０）ステップと、
制御信号（１１３１）を前記第１のコンポーネントキャリアの中で送信する（１１４０）ステップであって、前記制御信号が、生成された前記スケジューリング割当て（１１１１）と前記割当てマップ（１１２１）とを備えている、前記ステップ（１１１０）と、
前記データ信号を送信するための前記リソースを使用して前記データ信号を送信する（１１４０）ステップであって、前記データ信号を送信するための前記リソースが、前記第１のコンポーネントキャリアに対する前記スケジューリング割当て（１１１１）によって指定されている、前記ステップ（１１１０）と、
前記第１のコンポーネントキャリアに対して指定されている、前記データ信号を送信するための前記リソース、にリンクされている、応答信号を送信するためのリソース、の中で、送信された前記データ信号に関連する応答信号を受信する（１１４５）ステップであって、前記応答信号が、複数のコンポーネントキャリアにおけるデータ信号に対して共通である、前記ステップ（１１１０）と、
を含んでおり、
前記第２のコンポーネントキャリアの中の制御信号（１１３１）が、
前記第１のコンポーネントキャリアの中の、前記共通の応答信号を送信するための前記リソース、にリンクされている相対インデックス、
を備えている、
方法。
【請求項２】
前記複数のコンポーネントキャリアそれぞれが、前記割当てマップおよび前記相対インデックスのうちの少なくとも一方を備えている、
請求項１に記載の方法。
【請求項３】
前記無線通信システムが、ＬＴＥ−Ａｄｖａｎｃｅｄをベースとするシステムである、
請求項１または請求項２に記載の方法。
【請求項４】
複数のコンポーネントキャリアを有する無線通信システムにおいてデータ信号および制御信号を受信する方法であって、コンポーネントキャリアそれぞれが、送信スロット、サブバンド周波数、符号、放射パターンのうちの少なくとも１つによって指定されるリソース、を備えており、
第１のコンポーネントキャリアの中と第２のコンポーネントキャリアの中の制御信号を受信する（１１６０）ステップと、
前記第１のコンポーネントキャリアの中の前記制御信号から、データ信号を受信するためのリソースを前記第１のコンポーネントキャリアに対して指定するスケジューリング割当て（１１７１）、を取り出す（１１８０）ステップと、
前記第１のコンポーネントキャリアの中の前記制御信号から、前記第２のコンポーネントキャリアにおいてスケジューリング割当てが生成されたかを指定する割当てマップ（１１７２）、を取り出すステップと、
前記割当てマップ（１１７２）と、前記第２のコンポーネントキャリアの中の制御信号とに基づいて、前記第２のコンポーネントキャリアに対するスケジューリング割当てが送られて受信されたかを評価する（１１８０）ステップと、
前記データ信号を受信するための前記リソースを使用して前記データ信号を受信する（１１６０）ステップであって、前記データ信号を受信するための前記リソースが、前記第１のコンポーネントキャリアに対する前記スケジューリング割当て（１１７１）によって指定されている、前記ステップと、
前記第１のコンポーネントキャリアに対して指定されている、前記データ信号を受信するための前記リソース、にリンクされている、応答信号を送信するためのリソース、の中で、受信された前記データ信号に関連する応答信号を送信する（１１６５）ステップであって、前記応答信号が、複数のコンポーネントキャリアにおけるデータ信号に対して共通である、前記ステップと、
含んでおり、
前記第２のコンポーネントキャリアの中の制御信号が、
前記第１のコンポーネントキャリアの中の、前記共通の応答信号を送信するための前記リソース、にリンクされている相対インデックス、
を備えている、
方法。
【請求項５】
前記複数のコンポーネントキャリアそれぞれが、前記割当てマップおよび前記相対インデックスのうちの少なくとも一方を備えている、
請求項４に記載の方法。
【請求項６】
前記無線通信システムが、ＬＴＥ−Ａｄｖａｎｃｅｄをベースとするシステムである、
請求項４または請求項５に記載の方法。
【請求項７】
複数のコンポーネントキャリアを有する無線通信システムにおいてデータ信号および制御信号を送信する装置であって、コンポーネントキャリアそれぞれが、送信スロット、サブバンド周波数、符号、放射パターンのうちの少なくとも１つによって指定されるリソース、を備えており、
データ信号を送信するためのリソースを第１のコンポーネントキャリアに対して指定するスケジューリング割当て（１１１１）、を生成する割当てユニット（１１１０）と、
第２のコンポーネントキャリアにおいてスケジューリング割当て（１１１１）が生成されたかを指定する割当てマップ（１１２１）、を求めるマップ判定ユニット（１１２０）と、
前記第１のコンポーネントキャリアの中の制御信号（１１３１）を送信する制御信号送信ユニット（１１４０）であって、前記制御信号が、生成された前記スケジューリング割当て（１１１１）と前記割当てマップ（１１２１）とを備えている、前記制御信号送信ユニット（１１４０）と、
前記データ信号を送信するための前記リソースを使用して前記データ信号を送信するデータ信号送信ユニット（１１４０）であって、前記データ信号を送信するための前記リソースが、前記第１のコンポーネントキャリアに対する前記スケジューリング割当て（１１１１）によって指定されている、前記データ信号送信ユニット（１１４０）と、
前記第１のコンポーネントキャリアに対して指定されている、前記データ信号を送信するための前記リソース、にリンクされている、応答信号を送信するためのリソース、の中で、送信された前記データ信号に基づく応答信号を受信するフィードバック受信ユニット（１１４５）であって、前記応答信号が、複数のコンポーネントキャリアにおけるデータ信号に対して共通である、前記フィードバック受信ユニット（１１４５）と、
備えており、
前記第２のコンポーネントキャリアの中の制御信号が、
前記第１のコンポーネントキャリアの中の、前記共通の応答信号を送信するための前記リソースにリンクされている相対インデックス、
を備えている、
装置。
【請求項８】
前記複数のコンポーネントキャリアそれぞれが、前記割当てマップおよび前記相対インデックスのうちの少なくとも一方を備えている、
請求項７に記載の装置。
【請求項９】
前記無線通信システムが、ＬＴＥ−Ａｄｖａｎｃｅｄをベースとするシステムである、
請求項７または請求項８に記載の装置。
【請求項１０】
複数のコンポーネントキャリアを有する無線通信システムにおいてデータ信号および制御信号を受信する装置であって、コンポーネントキャリアそれぞれが、送信スロット、サブバンド周波数、符号、放射パターンのうちの少なくとも１つによって指定されるリソース、を備えており、
第１のコンポーネントキャリアの中と第２のコンポーネントキャリアの中の制御信号を受信する制御信号受信ユニット（１１６０）と、
前記第１のコンポーネントキャリアの中の前記制御信号から、データ信号を受信するためのリソースを前記第１のコンポーネントキャリアに対して指定するスケジューリング割当て（１１７１）、を取り出し、前記第１のコンポーネントキャリアの中の前記制御信号から、前記第２のコンポーネントキャリアにおいてスケジューリング割当てが生成されたかを指定する割当てマップ（１１７２）、を取り出す、取り出しユニット（１１７０）と、
前記割当てマップ（１１７２）と、前記第２のコンポーネントキャリアの中の制御信号とに基づいて、前記第２のコンポーネントキャリアに対するスケジューリング割当てが送られて受信されたかを評価する評価ユニット（１１８０）と、
前記データ信号を受信するための前記リソースを使用して前記データ信号を受信するデータ信号受信ユニット（１１６０）であって、前記データ信号を受信するための前記リソースが、前記第１のコンポーネントキャリアに対する前記スケジューリング割当て（１１７１）によって指定されている、前記データ信号受信ユニット（１１６０）と、
前記第１のコンポーネントキャリアに対して指定されている、前記データ信号を受信するための前記リソース、にリンクされている、応答信号を送信するためのリソース、の中で、受信された前記データ信号に基づく応答信号を送信するフィードバック送信ユニット（１１６５）であって、前記応答信号が、複数のコンポーネントキャリアにおけるデータ信号に対して共通である、前記フィードバック送信ユニット（１１６５）と、
を備えており、
前記第２のコンポーネントキャリアの中の制御信号が、
前記第１のコンポーネントキャリアの中の、前記共通の応答信号を送信するための前記リソースにリンクされている相対インデックス、
を備えている、
装置。
【請求項１１】
前記複数のコンポーネントキャリアそれぞれが、前記割当てマップおよび前記相対インデックスのうちの少なくとも一方を備えている、
請求項１０に記載の装置。
【請求項１２】
前記無線通信システムが、ＬＴＥ−Ａｄｖａｎｃｅｄをベースとするシステムである、
請求項１０または請求項１１に記載の装置。
【発明の詳細な説明】
【技術分野】
【０００１】
本発明は、無線通信システムにおけるデータ信号および制御信号の送信および受信に関する。
【背景技術】
【０００２】
第３世代（３Ｇ）モバイルシステム（例えば、３ＧＰＰ（Third-Generation Partnership Project：第三世代パートナーシッププロジェクト）において標準化されたＵＭＴＳ（Universal Mobile Telecommunications System：ユニバーサル移動通信システム））は、ＷＣＤＭＡ（Wideband Code Division Multiple Access：広帯域符号分割多元接続）無線アクセス技術に基づいている。現在、３Ｇシステムは、世界中で大規模に配備されている。この技術を機能強化するうえでの最初のステップは、高速下りリンクパケットアクセス（HSDPA:High-Speed Downlink Packet Access）と、エンハンスト上りリンク（高速上りリンクパケットアクセス（ＨＳＵＰＡ：High Speed Uplink Packet Access）とも称する）とを導入することであり、いずれも、通常のＵＭＴＳと比較して無線アクセスのスペクトル効率および柔軟性の向上をもたらす。
【０００３】
ＨＳＤＰＡおよびＨＳＵＰＡは、ＷＣＤＭＡ無線アクセス技術を依然として利用しているが、ＵＭＴＳ規格のその後の大きな前進（進化）によって、下りリンクにおけるＯＦＤＭ（Orthogonal Frequency Division Multiplexing：直交周波数分割多重）と、上りリンクにおけるＳＣ−ＦＤＭＡ（Single Carrier Frequency Division Multiplexing Access：シングルキャリア周波数分割多元接続）とが組み合わされた。新しい研究項目（後から作業項目となった）の名称は、「進化したＵＴＲＡ（Evolved UMTS Terrestrial Radio Access：ＵＭＴＳ地上無線アクセス）および進化したＵＴＲＡＮ（UMTS terrestrial Radio Access Network：ＵＭＴＳ地上無線アクセスネットワーク）」（略してＥ−ＵＴＲＡおよびＥ−ＵＴＲＡＮ）であり、これらは将来的な技術進化に対処することを目的としているため、しばしばロングタームエボリューション（ＬＴＥ）と称される。
【０００４】
ＬＴＥの目標は、ＨＳＤＰＡおよびＨＳＵＰＡと比較して大幅に高いデータレートを達成すること、高いデータレートのカバレッジを改善すること、上位層プロトコル（例えばＴＣＰ）のパフォーマンスを改善するためユーザプレーンにおけるレイテンシを大幅に低減すること、制御プレーン手順（例えばセッションの確立）に関連付けられる遅延を低減すること、である。現在までの中心的な課題として、将来的なすべてのサービスのベースとしてＩＰ（Internet Protocol）の使用に統一すること、したがってパケット交換（ＰＳ）領域の機能強化が進められた。
【０００５】
無線アクセスネットワークは、一般的には、無線アクセスに関連するすべての機能（例えば、無線チャネルリソースのスケジューリング）を処理する役割を担っている。コアネットワークは、呼のルーティングおよび外部ネットワークとのデータ接続の役割を担っている。一般的に、現在の移動通信システム（例えば、ＧＳＭ、ＵＭＴＳ、ｃｄｍａ２００、ＩＳ−９５、およびこれらの進化バージョン）は、時間、周波数、符号、アンテナ放射パターンのうちの少なくとも１つを使用して物理リソースを定義する。これらのリソースは、送信用として１人のユーザに割り当てる、または分割して複数のユーザに割り当てることができる。例えば、送信時間を、通常はタイムスロットと称される時間枠に分割することができ、それを複数の異なるユーザに割り当てる、または１人のユーザのデータの送信用に割り当てることができる。このような移動システムの周波数帯域は、複数のサブバンドに分割することができる。データは、（擬似）直交拡散符号を使用して拡散することができ、異なる符号によって拡散された異なるデータを、例えば同じ周波数もしくは同じ時間またはその両方を使用して送信することができる。別の可能な方法は、同じ時間に、もしくは同じ符号を使用して、またはその両方において、同じ周波数上で複数の異なるデータを送信するためのビームを形成する目的で、送信アンテナの複数の異なる放射パターンを使用することである。
【０００６】
ＬＴＥにおいて定義されているアーキテクチャはＥＰＳ（Evolved Packet System：進化型パケットシステム）と称され、無線アクセス側のＥ−ＵＴＲＡＮとは別に、コアネットワーク側にＥＰＣ（Evolved Packet Core：進化型パケットコア）も備えている。ＬＴＥは、データおよびメディアを高速伝送するための搬送波の要件を満たして、今後１０年間にわたり大容量音声通信がサポートされるように設計されている。
【０００７】
ＬＴＥネットワークは、アクセスゲートウェイ（ａＧＷ）および強化された基地局（いわゆるｅＮｏｄｅ  Ｂ（ｅＮＢ））からなる２ノードアーキテクチャである。アクセスゲートウェイは、コアネットワークの機能（すなわち、呼のルーティング、外部ネットワークとのデータ接続）を処理し、無線アクセスネットワークの機能も実施する。したがって、アクセスゲートウェイは、現在の３ＧネットワークにおいてＧＧＳＮ（Gateway GPRS Support Node：ゲートウェイＧＰＲＳサポートノード）およびＳＧＳＮ（Serving GPRS Support Node：サービングＧＰＲＳサポートノード）によって実行される機能と、無線アクセスネットワークの機能（例えば、ヘッダー圧縮、暗号化／整合性保護）とを兼ね備えているものと考えることができる。ｅＮｏｄｅＢは、例えば、無線リソース制御（ＲＲＣ）、データの分割／連結、リソースのスケジューリングおよび割当て、多重化、および物理層の機能といった機能を処理する。したがって、Ｅ−ＵＴＲＡＮエア（無線）インタフェースは、ユーザ機器（ＵＥ）とｅＮｏｄｅＢとの間のインタフェースである。この場合、ユーザ機器は、例えば、移動端末、ＰＤＡ、携帯型ＰＣ、ＰＣ、または、ＬＴＥ規格に準拠する受信器／送信器を有するその他の任意の装置とすることができる。
【０００８】
Ｅ−ＵＴＲＡＮエアインタフェースに導入されたマルチキャリア伝送では、無線チャネル周波数選択性に起因して増大する信号劣化の影響を受けることなく、全体的な送信帯域幅が大きくなる。提案されているＥ−ＵＴＲＡＮシステムは、下りリンクにＯＦＤＭ、上りリンクにＳＣ−ＦＤＭＡを使用し、基地局／移動局あたり最大４本のアンテナによるＭＩＭＯを採用する。例えばＵＭＴＳの初期のリリースにおけるように１つの広帯域信号を送信する代わりに、複数の狭帯域信号（「サブキャリア」と称する）を周波数多重化し、無線リンクを通じてまとめて送信する。これによって、Ｅ−ＵＴＲＡのスペクトル利用に関する柔軟性および効率を大幅に高めることができる。
【０００９】
３ＧＰＰ  ＬＴＥにおいては、以下の下りリンク物理チャネルが定義されている（非特許文献１）（http://www.3gpp.orgにおいて入手可能であり、参照によって本文書に組み込まれている）。
−  物理下りリンク共有チャネル（ＰＤＳＣＨ）
−  物理下りリンク制御チャネル（ＰＤＣＣＨ）
−  物理ブロードキャストチャネル（ＰＢＣＨ）
−  物理マルチキャストチャネル（ＰＭＣＨ）
−  物理制御フォーマットインジケータチャネル（ＰＣＦＩＣＨ）
−  物理ＨＡＲＱインジケータチャネル（ＰＨＩＣＨ）
【００１０】
さらに、以下の上りリンクチャネルが定義されている。
−  物理上りリンク共有チャネル（ＰＵＳＣＨ）
−  物理上りリンク制御チャネル（ＰＵＣＣＨ）
−  物理ランダムアクセスチャネル（ＰＲＡＣＨ）
【００１１】
ＰＤＳＣＨおよびＰＵＳＣＨは、それぞれ、下りリンク（ＤＬ）および上りリンク（ＵＬ）においてデータおよびマルチメディアを送信するために使用され、したがって、高いデータレート用に設計されている。ＰＤＳＣＨは、下りリンク（すなわちｅＮｏｄｅ  Ｂから少なくとも１基のＵＥへの）送信用に設計されている。一般的に、この物理チャネルは、個別の物理リソースブロックに分けられて、複数のＵＥによって共有することができる。ｅＮｏｄｅＢにおけるスケジューラは、対応するリソースを割り当てる役割を担い、割当て情報をシグナリングする。ＰＤＣＣＨは、下りリンクにおいてＵＥに固有および共通の制御情報を伝え、ＰＵＣＣＨは、上りリンク送信においてＵＥに固有な制御情報を伝える。
【００１２】
ＬＴＥ規格では２種類の無線フレーム構造がサポートされており、これらはＬＴＥ規格の周波数分割複信（ＦＤＤ）方式および時分割複信（ＴＤＤ）方式に適用することができる。
【００１３】
図１は、ＬＴＥの下りリンクにおける一般的なベースバンド信号処理を示している（非特許文献２）（http://www.3gpp.orgにおいて入手可能であり、参照によって本文書に組み込まれている）。最初に、情報ビット（ユーザデータまたは制御データを含んでいる）をブロック単位で符号化し（順方向誤り訂正によるチャネル符号化（例：ターボ符号化））、これにより符号語が生成される。次に、符号化されたビットのブロック（符号語）をスクランブルする（１１０）。下りリンクにおいて隣接するセルに対して異なるスクランブリングシーケンスを適用することによって、干渉する信号がランダム化され、これにより、チャネル符号によって提供される処理利得が完全に利用される。スクランブルされたビットのブロック（符号語）（採用される変調方式に応じて所定の数のビットのシンボルを形成する）を、データ変調器を使用して複素変調シンボルのブロックに変換する（１２０）。ＬＴＥの下りリンクによってサポートされる一連の変調方式としては、ＱＰＳＫ、１６−ＱＡＭ、および６４−ＱＡＭが挙げられ、これらは変調シンボルあたり２ビット、４ビット、または６ビットに対応する。
【００１４】
層マッピング１３０およびプリコーディング１４０は、より多くの受信アンテナもしくは送信アンテナまたはその両方をサポートする多入力多出力（ＭＩＭＯ）アプリケーションに関連する。送信する符号語それぞれの複素変調シンボルを１層または複数の層にマッピングする。ＬＴＥでは、最大４本の送信アンテナがサポートされる。アンテナのマッピングは、マルチアンテナ方式（例えば、送信ダイバーシチ、ビームフォーミング、空間多重化）が提供されるように、さまざまな方法で設定することができる。各アンテナで送信される、生成された一連のシンボルを、無線チャネルのリソースに（すなわち、スケジューラによって特定のＵＥに送信用として割り当てられる一連のリソースブロックに）さらにマッピングする（１５０）。スケジューラによる一連のリソースブロックの選択は、チャネル品質インジケータ（ＣＱＩ）（ＵＥによって上りリンクでシグナリングされるフィードバック情報であり、下りリンクにおいて測定されたチャネル品質を反映する）に依存する。シンボルを一連の物理リソースブロックにマッピングした後、ＯＦＤＭ信号を生成し（１６０）、アンテナポートから送信する。ＯＦＤＭ信号の生成は、逆離散フーリエ変換（高速フーリエ変換ＦＦＴ）を使用して実行する。
【００１５】
ＬＴＥ上りリンク送信は、ＦＤＤモードおよびＴＤＤモードのいずれの場合も、サイクリックプレフィックスを使用するＳＣ−ＦＤＭＡ（シングルキャリア周波数分割多元接続）に基づく。Ｅ−ＵＴＲＡＮにおけるＳＣ−ＦＤＭＡ信号は、ＤＦＴ拡散ＯＦＤＭ法を使用して生成する（ＤＦＴは離散フーリエ変換の意）。ＤＦＴ拡散ＯＦＤＭの場合、最初にサイズＭのＤＦＴをＭ個の変調シンボルのブロックに適用する。Ｅ−ＵＴＲＡＮの上りリンクでは、下りリンクと同様に、変調方式としてＱＰＳＫ、１６−ＱＡＭ、および６４−ＱＡＭがサポートされる。ＤＦＴによって変調シンボルを周波数領域に変換し、その結果を連続するサブキャリア上にマッピングする。次いで、ＯＦＤＭ下りリンクと同じように逆ＦＦＴを実行した後、サイクリックプレフィックスを加える。したがって、ＳＣ−ＦＤＭＡの信号生成とＯＦＤＭＡの信号生成の主たる違いは、ＤＦＴ処理である。ＳＣ−ＦＤＭＡ信号においては、各サブキャリアが、送信されるすべての変調シンボルの情報を含んでおり、なぜなら、入力データストリームが、利用可能なサブキャリア全体にわたりＤＦＴ変換によって拡散されているためである。ＯＦＤＭＡ信号においては、各サブキャリアは、特定の変調シンボルに関連する情報を伝えるのみである。
【００１６】
図２は、ＦＤＤモードに適用することのできる、ＬＴＥ送信のための時間領域の構造を示している。無線フレーム２３０は、長さＴｆｒａｍｅ＝１０ｍｓを有し、これは以前のＵＭＴＳリリースにおける無線フレームの長さに対応している。さらに、各無線フレームは、同じ長さＴｓｕｂｆｒａｍｅ＝１ｍｓの１０個の同じ大きさのサブフレーム２２０からなる。さらに、各サブフレーム２２０は、長さＴｓｌｏｔ＝０．５ｍｓの２個の同じ大きさのタイムスロット（ＴＳ）２１０からなる。１個のサブフレームにおいて最大２個の符号語を送信することができる。
【００１７】
図３は、ＴＤＤモードに適用することのできる、ＬＴＥ送信のための時間領域の構造を示している。長さＴｆｒａｍｅ＝１０ｍｓの各無線フレーム３３０は、それぞれ長さ５ｍｓの２個の半フレーム３４０からなる。半フレーム３４０それぞれは、長さＴｓｕｂｆｒａｍｅ＝１ｍｓの５個のサブフレーム３２０からなり、さらに、サブフレーム３２０それぞれは、長さＴｓｌｏｔ＝０．５ｍｓの２個の同じ大きさのタイムスロット３１０からなる。
【００１８】
各半フレーム３４０には、サブフレーム番号ＳＦ１およびＳＦ６に、ＤｗＰＴＳ  ３５０、ＧＰ  ３６０、ＵｐＰＴＳ  ３７０と称される３個の特殊フィールドが含まれている（無線フレーム内の１０個のサブフレームの番号がＳＦ０〜ＳＦ９であると想定する）。サブフレームＳＦ０およびＳＦ５と特殊フィールドＤｗＰＴＳ  ３５０は、下りリンク送信用につねに予約されている。表１は、１個のフレーム内の上りリンク−下りリンクのサブフレーム割当てとして、サポートされる７種類の構成を示しており、表において、Ｄは、下りリンク送信専用のサブフレーム、Ｕは上りリンク送信専用のサブフレーム、Ｓは、特殊フィールドＤｗＰＴＳ  ３５０、ＧＰ  ３６０、ＵｐＰＴＳ  ３７０を伝える特殊サブフレームを表している。
【００１９】
【表１】
0005498506.tif 000002
【００２０】
ＯＦＤＭ（下りリンク）送信およびＳＣ−ＦＤＭＡ（上りリンク）送信のための物理リソースは、時間−周波数のグリッドで示されることが多く、この場合、各列が１個のＯＦＤＭシンボルまたはＳＣ−ＦＤＭＡシンボルに対応し、各行が１個のＯＦＤＭサブキャリアまたはＳＣ−ＦＤＭＡサブキャリアに対応する。したがって、列の番号は時間領域内のリソースの位置を指定し、行の番号は周波数領域内のリソースの位置を指定する。
【００２１】
0005498506.tif 000003
【００２２】
【数１】
0005498506.tif 000004
【００２３】
0005498506.tif 000005
【００２４】
0005498506.tif 000006
【００２５】
0005498506.tif 000007
【００２６】
【表２】
0005498506.tif 000008
周波数領域における物理リソースブロック番号ｎＰＲＢと、スロットにおけるリソース要素（ｋ，ｌ）との間の関係は、次式によって与えられる。
【数２】
0005498506.tif 000009
【００２７】
したがって、各リソースブロック４３０は、１２個の連続するサブキャリアからなり、指定された数のＳＣ−ＦＤＭＡシンボルを有する０．５ｍｓのスロット４１０を範囲とする。
【００２８】
下りリンク制御シグナリングは、以下の３種類の物理チャネルによって伝えられる。
−  物理制御フォーマットインジケータチャネル（ＰＣＦＩＣＨ）：サブフレームにおける制御チャネルに使用されるＯＦＤＭシンボルの数を示すために使用される。
−  物理ハイブリッドＡＲＱインジケータチャネル（ＰＨＩＣＨ）：上りリンクデータ送信に関連付けられる下りリンクの応答（肯定：ＡＣＫ、否定：ＮＡＣＫ）を伝えるために使用される。
−  物理下りリンク制御チャネル（ＰＤＣＣＨ）：下りリンクのスケジューリング割当ておよび上りリンクのスケジューリンググラントを伝える。
【００２９】
物理下りリンク制御チャネルは、下りリンクスケジューリング割当てを伝える。各スケジューリンググラントは、ＣＣＥ（Control Channel Elements：制御チャネル要素）に基づいて定義される。各制御チャネル要素は、一連のリソース要素に対応する。具体的には、１個のＣＣＥは９個のＲＥＧ（Resource Element Groups：リソース要素グループ）を含んでおり、ＲＥＧは４個のＲＥ（Resource Elements：リソース要素）に対応する。インデックスｋを有するサブフレームの制御領域は、総数ＮＣＣＥ，ｋの一連のＣＣＥ（番号０〜ＮＣＣＥ，ｋ−１）からなる。この制御領域は、時間および周波数制御リソース（time and frequency control resources）全体にわたり分散する。複数のＣＣＥを結合して、制御信号の符号化率を有効に下げることができる。ＣＣＥは、図５に示したようにさまざまな符号化率を達成するため、ツリー構造を使用する所定の方式で結合される。ＰＤＣＣＨは、１個、２個、４個、または８個のＣＣＥのアグリゲーションである。
【００３０】
ＬＴＥにおいては、ＰＤＣＣＨは、サブフレームの最初のｎ個のＯＦＤＭシンボルにマッピングされる（ｎは１以上３以下）。サブフレームの先頭においてＰＤＣＣＨを送信することは、ＰＤＣＣＨに含まれている対応するＬ１／Ｌ２制御情報が早く復号化されるという利点がある。
【００３１】
サブフレームの中では、複数のＰＤＣＣＨを送信することができる。ＰＤＣＣＨは、ＤＣＩ（Downlink Control Information：下りリンク制御情報）フォーマットと称される複数のフォーマットを有する。ＤＣＩは、下りリンクまたは上りリンクのスケジューリング情報、あるいは上りリンクの電力制御コマンドを伝える。特定のＵＥを対象とする、ＤＣＩフォーマットのＰＤＣＣＨをサブフレームの中に検出すると、そのＵＥは、同じサブフレームの中の対応するＰＤＳＣＨを復号化する。さらに、そのＵＥは、共通の探索空間の中でＰＤＣＣＨによってシグナリングされるＤＣＩフォーマットに関連付けられるＰＤＳＣＨブロードキャスト制御送信（すなわち、ページング、ＲＡＣＨ応答、およびＢＣＣＨ）を受信する。さらには、このＵＥは、ＵＥ固有のＰＤＣＣＨ探索空間を介してシグナリングされるＰＤＳＣＨデータ送信を受信するように、送信モードとして、単一アンテナポート（ポート０）、送信ダイバーシチ、開ループ空間多重化、閉ループ空間多重化、マルチユーザＭＩＭＯ、閉ループＲａｎｋ＝１プリコーディング、単一アンテナポート（ポート５）、のいずれかに基づいて、上位層シグナリングによって半静的に設定される。
【００３２】
ＵＥは、非ＤＲＸサブフレームそれぞれにおいて、制御情報が存在しないか一連のＰＤＣＣＨ候補を監視する。この場合、監視とは、一連のＰＤＣＣＨそれぞれについて、監視対象のすべてのＤＣＩフォーマットに従って復号化を試みることを意味する。チャネルの符号化率が３／４より大きい場合、ＵＥはＰＤＣＣＨ上の制御情報を復号化する必要がない（チャネルの符号化率とは、下りリンクの制御情報ビットの数を、ＰＤＣＣＨ上の物理チャネルビットの数で除した数として定義される）。
【００３３】
ＵＥによって監視される制御チャネルは、上位層のシグナリングによって設定することができる。制御チャネルの割当てに利用可能であるＣＣＥの数は、いくつかの要因、例えば、キャリアの帯域幅、送信アンテナの数、制御に使用されるＯＦＤＭシンボルの数、およびＣＣＥのサイズに依存する。
【００３４】
監視される一連のＰＤＣＣＨ候補は、探索空間に基づいて定義され、表３に示したように、アグリゲーションレベル１，２，４，または８における探索空間が、一連のＰＤＣＣＨ候補によって定義される。
【００３５】
【表３】
0005498506.tif 000010
【００３６】
ＵＥは、アグリゲーションレベル４および８のそれぞれにおいて１つの共通探索空間を監視する。共通探索空間は、候補のアグリゲーションレベル４および８における特定の数のＣＣＥに対応する（表３の最後の２行を参照）。セル内のすべてのＵＥは、共通の探索空間を監視する。
【００３７】
さらに、ＵＥは、アグリゲーションレベル１，２，４，および８のそれぞれにおいてＵＥ固有の１つの探索空間を監視する。表３に示したように、ＵＥは、ＵＥ固有の探索空間内でアグリゲーションレベルあたり何回か復号化を試みる。アグリゲーションレベルあたり２種類のペイロードサイズ（ＤＣＩ）（下りリンクのスケジューリング割当て用に１つ、上りリンクグラント用に１つ）と想定すると、ペイロードサイズそれぞれにおけるアグリゲーションレベルあたりの復号化の試行回数は、アグリゲーションレベル１における６回の復号化試行＋アグリゲーションレベル２における６回の復号化試行＋アグリゲーションレベル４における２回の復号化試行＋アグリゲーションレベル８における２回の復号化試行である。したがって、ペイロードサイズあたりのブラインド復号化の試行回数は１６回であり、全体で３２回のブラインド復号化の試行によって、ＵＥ固有の探索空間内でＰＤＣＣＨを検出する。同様に、共通探索空間内では、ＰＤＣＣＨを検出するために１２回の試行が行われる。したがって、ＰＤＣＣＨを検出するのに全体として４４回の試行が行われる。
【００３８】
共通探索空間とＵＥ固有の探索空間は、重なっていることができる。
【００３９】
物理上りリンク制御チャネル（ＰＵＣＣＨ）は、上りリンク制御情報を伝える。表４は、サポートされるＰＵＣＣＨフォーマットを示している。
【００４０】
【表４】
0005498506.tif 000011
【００４１】
ＰＵＣＣＨフォーマット１ａおよび１ｂは、ＰＵＣＣＨ送信のみにおいてＡＣＫ／ＮＡＣＫの送信に適用することができる。ＰＵＣＣＨフォーマット１，１ａ，および１ｂの送信に使用されるリソースは、リソースインデックスｎ（１）ＰＵＣＣＨによって識別される。リソースインデックスｎ（１）ＰＵＣＣＨから、直交シーケンスインデックスｎＯＣ（ｎＳ）およびサイクリックシフトα（ｎｓ，ｌ）が求められ、直交シーケンスインデックスおよびサイクリックシフトは、ＳＣ−ＦＤＭＡにおいて使用される拡散符号を定義する。一般的には、ＡＣＫ／ＮＡＣＫの送信に使用される物理リソースは、さまざまな要因に依存し、例えば、上りリンクの帯域幅構成、ＰＵＣＣＨフォーマット２／２ａ／２ｂに予約されている帯域幅、フォーマット１／１ａ／１ｂおよびフォーマット２／２ａ／２ｂの混合を使用する場合にリソースブロックにおいてＰＵＣＣＨフォーマットに使用されるサイクリックシフトの数、周波数領域におけるリソースブロックサイズ（ＰＵＣＣＨフォーマット１／１ａ／１ｂの場合にサブキャリアの数およびリソースインデックスｎ（１）ＰＵＣＣＨによって表される）である。
【００４２】
ＬＴＥリリース８によると、ＴＤＤモードでは、上りリンクにおいてＡＣＫ／ＮＡＣＫフィードバック情報を送信するための方法として、上位層の設定によってサポートされる以下の２つの可能な方法がある。
−  デフォルトモード：ＰＵＣＣＨフォーマット１ａまたは１ｂを使用してＡＣＫ／ＮＡＣＫをバンドリングする。バンドリングとは、複数のＰＤＳＣＨ送信に対して１つのＡＣＫ／ＮＡＣＫ信号を送信することを意味する。
−  チャネル選択を伴うＰＵＣＣＨフォーマット１ｂを使用してＡＣＫ／ＮＡＣＫを多重化する。
【００４３】
図６は、ＴＤＤ  ＡＣＫ／ＮＡＣＫバンドリングを示している。ＡＣＫ／ＮＡＣＫバンドリングは、１個の上りリンクサブフレームに関連付けられる複数の下りリンクサブフレーム６０１，６０２，６０３，６０４にまたがる符号語ごとに実行される。下りリンクサブフレーム６０１，６０２，６０３，６０４における符号語に対応する、（動的およびセミパーシステントにスケジューリングされた）個々のＰＤＳＣＨ送信ＡＣＫ／ＮＡＣＫすべてに、論理「ＡＮＤ」演算を適用する。したがって、バンドリングされた下りリンクサブフレームすべてに対してＡＣＫが送信される場合、ＡＣＫを送信する。少なくとも１個の下りリンクサブフレームに対してＮＡＣＫが送信される場合、ＮＡＣＫを送信する。バンドリングされた１個または２個のＡＣＫ／ＮＡＣＫビットは、それぞれ、表４に示したようにＰＵＣＣＨフォーマット１ａおよびＰＵＣＣＨフォーマット１ｂを使用して送信される。
【００４４】
サブフレームｎにおけるＰＤＳＣＨ上の下りリンク送信に対して、ＵＥは、サブフレームｍ＝ｎ＋ｋにおいてＡＣＫ／ＮＡＣＫを送信し、ｋは、表１に示した上りリンク−下りリンク構成モードそれぞれにおいて、表５に示したように下りリンクサブフレームそれぞれに対して定義されている。
【００４５】
【表５】
0005498506.tif 000012
ＵＥは、サブフレームｍにおいてＡＣＫ／ＮＡＣＫを送信するのに、リソースインデックスｎ（１）ＰＵＣＣＨを有するＰＵＣＣＨリソースを使用する。ＰＵＣＣＨリソースは、最後に検出された下りリンクサブフレームのＰＤＣＣＨの最小のＣＣＥインデックスおよび対応する下りリンクサブフレーム番号にリンクされている。
【００４６】
ＡＣＫ／ＮＡＣＫバンドリングは、下りリンクスケジューリング割当てが受信されないことに起因して誤りが生じやすい。ＵＥがサブフレーム内の下りリンクスケジューリング割当てを認識しない（受信しない）場合、バンドリングされたＡＣＫ／ＮＡＣＫが正しく送信されないことがある。この問題を克服する目的で、バンドリングされる下りリンクサブフレームのセットそれぞれについて、少なくとも、セットとしてバンドリングされたサブフレームの数に関する情報を、ｅＮＢとＵＥとの間で交換する。
【００４７】
バンドリングされたサブフレームの数を提供することによって、受信されなかった下りリンクスケジューリング割当てを検出することができ、したがって、不必要な再送信が減少する。下りリンクスケジューリング割当てに関する情報は、ＤＡＩ（Downlink Assignment Index：下りリンク割当てインデックス）によって示される。ＤＡＩは、受信されなかった可能性のあるスケジューリング割当てをＵＥが検出できるようにする２個のビット情報をＰＤＣＣＨの中で伝える。具体的には、ＴＤＤの場合、ＤＡＩの値は、バンドリングされたすべてのサブフレームｎの中でＵＥに送信される動的下りリンク割当ての最小数を表す。ＤＡＩは、サブフレームごとに更新することができる。したがって、ＤＡＩは、バンドリングウィンドウ（bundling window）内の、その時点までに割り当てられた下りリンクサブフレームの数のカウンタと考えることができる。表６は、ＤＡＩの値を示している。
【００４８】
【表６】
0005498506.tif 000013
【００４９】
ＵＥは、ＰＤＣＣＨを受信すると、それまでに受信されなかった下りリンク割当てを検出する目的で、受信した下りリンクスケジューリング割当ての数とＤＡＩの値とを比較する。
【００５０】
３ＧＰＰでは、現在、「Further Advancements for E-UTRA (LTE-Advanced)：Ｅ−ＵＴＲＡのさらなる進歩（ＬＴＥ−Ａｄｖａｎｃｅｄ）」というテーマが検討されており、これは非特許文献３（http://www.3gpp.orgにおいて入手可能であり、参照によって本文書に組み込まれている）に記載されている。この研究項目は、Ｅ−ＵＴＲＡを進化させる目的で、例えば、ＩＭＴ−Ａｄｖａｎｃｅｄのキャリアアグリゲーション（２個以上のコンポーネントキャリアをまとめる）における要件を満たすために、考慮すべき技術要素をカバーしている。これによって、ＬＴＥ−Ａｄｖａｎｃｅｄ（ＬＴＥ−Ａとも称する）では２０ＭＨｚより大きい下りリンク送信帯域幅をサポートできるようになるはずである。ＬＴＥリリース８の端末は、１個のみのコンポーネントキャリア上の送信を受信することができる。２０ＭＨｚを超える受信能力を有するＬＴＥ−Ａｄｖａｎｃｅｄ端末は、複数のコンポーネントキャリア上の送信を同時に受信することができる。この場合、「同時に」とは、同じ無線フレーム内を意味する。例えば、ＬＴＥ−ＡのＴＤＤモードにおいては、複数の異なるコンポーネントキャリアを複数の異なるサブフレームにおいて送信／受信することができる。ＦＤＤモードにおいては、さらに同じサブフレーム内で複数のコンポーネントキャリアの送信／受信が可能である。
【００５１】
このようなシステムでは、データ信号（例：ＰＤＳＣＨ）および制御信号（上りリンク、下りリンク）を送信するための効率的かつ高い信頼性のメカニズムが必要である。
【先行技術文献】
【非特許文献】
【００５２】
【非特許文献１】3GPP TS 36.211 ‘’Physical Channels and Modulations‘’, Release 8, v. 8.3.0, May 2008
【非特許文献２】3GPP TS 36.211 ‘’Multiplexing and Channel Coding‘’, Release 8, v. 8.3.0, May 2008
【非特許文献３】3GPP TS 36.814
【発明の概要】
【発明が解決しようとする課題】
【００５３】
本発明の目的は、複数のコンポーネントキャリアを有する無線通信システムにおいてデータ信号および制御信号を送信および受信するための効率的かつ高い信頼性の方法および装置を提供することである。
【課題を解決するための手段】
【００５４】
この目的は、独立請求項の特徴によって達成される。
【００５５】
本発明の有利な実施形態は、従属請求項の主題である。
【００５６】
本発明の具体的な方法は、コンポーネントキャリアの中で、別のコンポーネントキャリアの中のスケジューリング割当ての存在を指定する割当てマップを送信することである。
【００５７】
割当てマップをシグナリングすることによって、その割当てマップの対象である複数のコンポーネントキャリアのうち受信されなかったスケジューリング割当てを検出することが可能である。
【００５８】
本発明の第１の態様によると、複数のコンポーネントキャリアを有する無線通信システムにおいてデータ信号および制御信号を送信する方法、を提供する。コンポーネントキャリアは、送信スロット、サブバンド周波数、符号、放射パターンのうちの少なくとも１つによって指定される物理リソース、を備えている。データ信号を送信するためのリソースを第１のコンポーネントキャリアに対して指定するスケジューリング割当て、を生成する。さらに、第２のコンポーネントキャリアにおいてスケジューリング割当てが生成されたかを指定する割当てマップ、を求める。生成されたスケジューリング割当てと割当てマップとを備えている制御信号を、第１のコンポーネントキャリアの中で送信する。
【００５９】
本発明の別の態様によると、複数のコンポーネントキャリアを有する無線通信システムにおいてデータ信号および制御信号を受信する方法、を提供する。コンポーネントキャリアは、送信スロット、サブバンド周波数、符号、放射パターンのうちの少なくとも１つによって指定されるリソース、を備えている。制御信号は、第１のコンポーネントキャリアの中と第２のコンポーネントキャリアの中で受信される。第１のコンポーネントキャリアの中の制御信号から、データ信号を受信するためのリソースを第１のコンポーネントキャリアに対して指定するスケジューリング割当て、を取り出し、第２のコンポーネントキャリアにおいてスケジューリング割当てが生成されたかを指定する割当てマップ、を取り出す。割当てマップと、第２のコンポーネントキャリアの中の制御信号とに基づいて、第２のコンポーネントキャリアに対するスケジューリング割当てが送られて受信されたかを評価する。
【００６０】
本発明のさらに別の態様によると、複数のコンポーネントキャリアを有する無線通信システムにおいてデータ信号および制御信号を送信する送信器、を提供する。コンポーネントキャリアは、送信スロット、サブバンド周波数、符号、放射パターンのうちの少なくとも１つによって指定されるリソース、を備えている。送信器は、データ信号を送信するためのリソースを第１のコンポーネントキャリアに対して指定するスケジューリング割当て、を生成する割当てユニット、を備えている。さらに、送信器は、第２のコンポーネントキャリアにおいてスケジューリング割当てが生成されたかを指定する割当てマップ、を求めるマップ判定ユニット、を備えている。制御信号送信ユニットは、生成されたスケジューリング割当てと割当てマップとを含んでいる制御信号を、第１のコンポーネントキャリアの中で送信することができる。
【００６１】
本発明のさらに別の態様によると、複数のコンポーネントキャリアを有する無線通信システムにおいてデータ信号および制御信号を受信する受信器、を提供する。コンポーネントキャリアは、送信スロット、サブバンド周波数、符号、放射パターンのうちの少なくとも１つによって指定されるリソース、を備えている。受信器は、第１のコンポーネントキャリアの中と第２のコンポーネントキャリアの中の制御信号を受信する制御信号受信ユニット、を備えている。さらに、受信器は、第１のコンポーネントキャリアの中の制御信号から、スケジューリング割当ておよび割当てマップを取り出す取り出しユニット、を備えている。スケジューリング割当ては、データ信号を受信するためのリソースを第１のコンポーネントキャリアに対して指定する。割当てマップは、第２のコンポーネントキャリアにおいてスケジューリング割当てが生成されたかを指定する。評価ユニットは、割当てマップと、第２のコンポーネントキャリアの中の制御信号とに基づいて、第２のコンポーネントキャリアに対するスケジューリング割当てが送られて受信されたかを評価することができる。
【００６２】
用語「第１のコンポーネントキャリア」および「第２のコンポーネントキャリア」は、本文書においては、システムの任意のコンポーネントキャリアを意味し、周波数領域における順序には関係ない。
【００６３】
応答信号は、第１のコンポーネントキャリアに対して指定されている、データ信号を送信するためのリソース、にリンクされている、応答信号を送信するためのリソース、の中で受信／送信することが好ましい。応答信号は、送信されたデータ信号に関連しており、複数のコンポーネントキャリアの中のデータ信号に対して共通である。
【００６４】
具体的には、応答信号は、例えば肯定応答または否定応答をシグナリングする１個または複数のビットからなるバイナリ形式を有する。共通の応答信号は、複数のコンポーネントキャリア上のデータ信号に関連するバイナリ応答信号に論理ＡＮＤ演算を適用することによって求められることが好ましい。このような共通の応答信号は、まとめられた応答すべてが肯定（確認）である場合のみに肯定応答を示す。それ以外の場合、共通否定応答が示される。複数のコンポーネントキャリアに対する共通の応答を送ることは、必要なリソースが減少するという利点がある。しかしながら、共通の応答は、別の方法、例えば、別の演算（例：論理ＯＲ演算）を使用する、あるいはバンドリングされたコンポーネントキャリアの中の個々の否定応答または肯定応答の数をシグナリングすることで、得ることもできる。さらには、共通の応答は、例えばビットマップの形で個々の応答報告を含んだ集合的な応答報告とすることもできる。
【００６５】
本発明の実施形態によると、第２のコンポーネントキャリアの中の制御信号は、第１のコンポーネントキャリアの中のスケジューリング割当てのリソースにリンクされている相対インデックス、を備えている。特に、第１のコンポーネントキャリアの中のスケジューリング割当ては、応答信号リソースにさらに関連している。したがって、相対インデックスも、応答信号リソースにリンクされている。この方策は、応答信号報告の信頼性が向上するという利点があり、なぜなら、たとえ第１のコンポーネントキャリアの制御信号が受信されない場合でも、第２のコンポーネントキャリアの中の相対インデックスは、第１のコンポーネントキャリアにリンクされている正しい応答信号リソースにリンクされているためである。応答信号は、データ信号および制御信号と同じコンポーネントキャリアの中で送信することができる（ただし必須要件ではない）。
【００６６】
複数のコンポーネントキャリアそれぞれは、割当てマップおよび相対インデックスのうちの少なくとも一方を備えていることが好ましい。さまざまな代替形態が可能であり、それぞれが利点を有する。
【００６７】
本発明の実施形態によると、基準コンポーネントキャリアは、少なくとも１個のメンバーコンポーネントにおけるスケジューリング割当ての存在を指定する割当てマップ、を伝える。１個または複数のメンバーキャリアは、割当てマップを備えておらず、相対インデックスを備えている。この代替形態によると、基準コンポーネントキャリアおよび（１個または複数の）メンバーキャリアに対するバンドリングされた応答信号用に、１個の応答リソースを使用することができる。メンバーコンポーネントキャリアと基準コンポーネントキャリアのうちの受信されなかったスケジューリング割当てを検出することができる。
【００６８】
本発明の別の実施形態によると、キャリアそれぞれが割当てマップを備えている。基準メンバーコンポーネントキャリアは、相対インデックスも備えていることが好ましい。これによって、各コンポーネントキャリアの割当てテーブルが自身以外のすべてのコンポーネントキャリアに関連する情報を備えているならば、すべてのコンポーネントキャリアのうちの受信されなかったスケジューリング割当てを検出することができる。しかしながら、コンポーネントキャリアそれぞれが割当てマップおよび相対インデックスの両方を含んでいることもできる。
【００６９】
割当てマップは、コンポーネントキャリアにおいて、そのキャリア以外のコンポーネントキャリアがスケジューリング割当てを備えているか否かを指定するビットマップによって、表されていることが好ましい。このようなスケジューリング割当ての存在の有無をシグナリングするため、各キャリアに１個のビットが必要である。しかしながら、割当てマップは別の形態をとることもできる。特に、割当てマップは、バンドリングされたコンポーネントキャリアのどのサブセットがスケジューリング割当てを含んでいるかを指定する値（バイナリ形式でシグナリングすることができる）を含んでいる。さまざまなサブセットと、シグナリングされる値との間のマッピングを、例えばルックアップテーブルとして定義することができる。一般的には、割当てマップは、他の任意の形式をとることができる。
【００７０】
複数の異なるコンポーネントキャリアの応答信号をバンドリングし、１個の物理リソースの中で送ることが好ましい。バンドリングは、全体的または部分的に行うことができる。具体的には、Ｍ個のコンポーネントキャリアが送信されるように設定されている場合、バンドリングを部分的に、すなわちＭ個のコンポーネントキャリアのサブセットに対して、行うことができる。サブセットは互いに重複していることができる（ただし必須要件ではない）。この場合、各サブセットに対して基準コンポーネントキャリアを定義することができる。しかしながら、Ｍ個のコンポーネントキャリアすべてに対して１個の基準キャリアを定義することもできる。
【００７１】
通信システムは、複数のコンポーネントキャリアを有する、ＬＴＥ−Ａｄｖａｎｃｅｄをベースとするシステムであることが好ましい。
【００７２】
本発明の別の実施形態によると、通信システムはＭＩＭＯ  ＳＤＭを採用しており、したがって、複数の符号語が形成される。このような場合におけるバンドリングは、同じ符号語のコンポーネントキャリアに対して行われることが好ましい。しかしながら、同じコンポーネントキャリアおよび異なる符号語に対して、または任意の他の組合せに対して行うこともできる。
【００７３】
本発明は、通信システムの方式として、周波数分割複信および時分割複信の両方に適用することができる。時分割復信モードにおいては、本発明は、各サブフレーム内で、または複数のサブフレームの間で、コンポーネントキャリアの受信されなかったスケジューリング割当てを検出するために適用されることが好ましい。
【００７４】
本発明のさらに別の態様によると、コンピュータ可読プログラムコードが具現化されたコンピュータ可読媒体を備えているコンピュータプログラム製品であって、プログラムコードが、本発明のいずれかの実施形態を実行するようにされている、コンピュータプログラム製品、を提供する。
【００７５】
本発明の上記およびそれ以外の目的および特徴は、添付の図面を参照しながらの以下の説明および好ましい実施形態から明らかになるであろう。
【図面の簡単な説明】
【００７６】
【図１】ＬＴＥシステムにおける下りリンクベースバンド処理を示したブロック図である。
【図２】ＬＴＥ  ＦＤＤシステムにおける無線フレームの構造を示している。
【図３】ＬＴＥ  ＴＤＤシステムにおける無線フレームの構造を示している。
【図４】上りリンクＬＴＥの場合の時間−周波数グリッドにおける物理リソースを示している。
【図５】ＬＴＥにおけるＣＣＥツリー構造の例である。
【図６】ＬＴＥ  ＴＤＤリリース８におけるＡＣＫ／ＮＡＣＫバンドリングの概略図である。
【図７】複数のコンポーネントキャリアを有する通信システムにおけるＡＣＫ／ＮＡＣＫバンドリングの概略図である。
【図８】複数のコンポーネントキャリアを有する通信システムに適用される、ＬＴＥ  ＴＤＤリリース８に類似したＡＣＫ／ＮＡＣＫバンドリングの概略図である。
【図９】複数のコンポーネントキャリアを有する通信システムに適用される、ＬＴＥ  ＴＤＤリリース８に類似するＡＣＫ／ＮＡＣＫバンドリングの信頼性の問題を示した例である。
【図１０】本発明による割当てマップ（ＡＭ）の概略図である。
【図１１】本発明による送信装置および受信装置を示したブロック図である。
【図１２】本発明の実施形態による、制御信号の送信および受信を示した概略図である。
【図１３】本発明による割当てマップの例を示した概略図である。
【図１４】本発明の実施形態による、基準コンポーネントキャリアのアグリゲーションレベルおよびＣＣＥインデックスと、メンバーコンポーネントキャリアのアグリゲーションレベルおよびＣＣＥインデックスとの間の関係の例を示した概略図である。
【図１５】メンバーコンポーネントキャリア上の相対インデックスのシグナリングの例を示した概略図である。
【図１６】割当てマップもしくは相対インデックスまたはその両方を送信するための制御チャネルの可能なフォーマットを示した概略図である。
【図１７】基準コンポーネントキャリアおよびメンバーコンポーネントキャリアにおけるＣＣＥアグリゲーションレベルおよびＣＣＥインデックスの可能な構成の例を表している一連の表である。
【図１８】４個のリンクされたコンポーネントキャリアの割当てマップの例を示した概略図である。
【図１９】リンクされたすべてのコンポーネントキャリアにおいて同じＣＣＥインデックスを使用する場合の、ＣＣＥインデックスからＡＣＫ／ＮＡＣＫインデックスへのマッピングの例を示した概略図である。
【図２０】リンクされたコンポーネントキャリアにおいて異なるＣＣＥインデックスを使用する場合の、ＣＣＥインデックスからＡＣＫ／ＮＡＣＫインデックスへのマッピングの別の例を示した概略図である。
【図２１】ＣＣＥインデックスからＡＣＫ／ＮＡＣＫインデックスへのマッピングの別の例として、複数の異なるコンポーネントキャリアにおいて独立して行われるマッピングを示した概略図である。
【図２２】制御信号の受信／送信の例として、すべてのコンポーネントキャリアにおいて割当てマップを送信し、メンバーコンポーネントキャリアにおいて相対インデックスをシグナリングする例を示した概略図である。
【図２３】制御信号の受信／送信の例として、各コンポーネントキャリアにおいて割当てマップおよび相対インデックスをシグナリングする例を示した概略図である。
【図２４】応答信号の部分的バンドリングを示した概略図である。
【図２５】部分的にバンドリングされたコンポーネントキャリアに対して１個のＡＣＫ／ＮＡＣＫリソースを使用し、複数の基準コンポーネントキャリアが存在する例の概略図である。
【図２６】部分的にバンドリングされたコンポーネントキャリアに対して１個のＡＣＫ／ＮＡＣＫリソースを使用し、１個の基準コンポーネントキャリアが存在する例の概略図である。
【図２７】ＭＩＭＯ  ＳＤＭにおける２個以上の符号語に適用される、本発明の概略図であり、バンドリングが符号語ごとに行われる。
【図２８】ＭＩＭＯ  ＳＤＭにおける２個以上の符号語に適用される、本発明の概略図であり、バンドリングが複数の符号語ごとに行われる。
【図２９】ＴＤＤモードにおいてサブフレームレベルにおいて受信されなかったスケジューリング割当てを検出する目的で本発明を適用する場合の概略図である。
【図３０】ＴＤＤモードにおいて受信されなかった下りリンクサブフレーム割当てを検出する目的で本発明を適用する場合を示した概略図である。
【図３１】３ＧＰＰ  ＬＴＥアーキテクチャを示した概略図である。
【発明を実施するための形態】
【００７７】
本発明は、複数のコンポーネントキャリアを有する無線通信システムにおいてデータ信号および制御信号を送信および受信することに関連する。具体的には、本発明は、データ信号に関連付けられる制御信号（例えば、スケジューリング／割当て情報もしくはフィードバック情報またはその両方）を送信／受信するための効率的かつ信頼性の高い方法を提供する。
【００７８】
本発明は、例えば、移動通信システム（例えば前述したＬＴＥ−Ａｄｖａｎｃｅｄ（ＬＴＥ−Ａ）通信システム）に関連して、有利に使用することができる。しかしながら、本発明の用途は、この特定の例示的な通信ネットワークに限定されない。複数のコンポーネントキャリアを有する任意の標準化された移動通信システム、あるいはそのような標準化された移動通信システムの任意の進化バージョン、今後に標準化される任意の移動通信システム、またはプロプライエタリな任意の移動通信システムを通じて、本発明を使用してデータ信号および制御信号を送信するもしくは受信する、またはその両方を行うことは、有利である。
【００７９】
複数のコンポーネントキャリアを有する通信システムにおける上りリンクフィードバックシグナリング（例えば、ＡＣＫ／ＮＡＣＫ制御シグナリング）は、上述したＬＴＥ  ＴＤＤの場合と同様に設計することができる。具体的には、図６に示したように複数のサブフレームに対するＡＣＫ／ＮＡＣＫをバンドリングする方式と同様に、複数のコンポーネントキャリアに対するＡＣＫ／ＮＡＣＫのバンドリングを行うことができる。図７は、複数のコンポーネントキャリア７０１，７０２，７０３，７０４に対する、このようなＡＣＫ／ＮＡＣＫバンドリングの例を示している。ＬＴＥ  ＴＤＤの原理を採用する利点として、上りリンクと下りリンクとの間の対称的な帯域幅分布および非対称的な帯域幅分布（すなわちコンポーネントキャリアのアグリゲーション）の両方に適用できる。特に、コンポーネントキャリアのアグリゲーションを使用するＬＴＥ−Ａにおいては、ＡＣＫ／ＮＡＣＫのバンドリングによって、ＰＵＣＣＨのカバレッジおよび容量を改善することができる。したがって、複数の下りリンクコンポーネントキャリアに対する１つのＡＣＫ／ＮＡＣＫを、１個の上りリンクコンポーネントキャリアによって伝える。
【００８０】
複数のコンポーネントキャリアに対するＡＣＫ／ＮＡＣＫバンドリングの信頼性および効率をさらに改善するため、ＳＡＩ（Scheduling Assignment Index：スケジューリング割当てインデックス）（ＬＴＥリリース８のＰＤＣＣＨにおけるＤＡＩ情報に類似する）を使用して、ＵＥにおける受信されなかったスケジューリング割当てを検出することができる。ＳＡＩは、ＤＡＩと同様に、その時点までのコンポーネントキャリアの中の割当ての数を示すカウンタとして使用される。図８は、２個のコンポーネントキャリア８０１，８０２の場合における、このような例を示している。第１のコンポーネントキャリア８０１においては、ＳＡＩは値０を有する。この第１のコンポーネントキャリア８０１の中のＰＤＣＣＨは、インデックス値が１であるＣＣＥ上でスケジューリング割当てを伝える。第２のコンポーネントキャリア８０２の中のＰＤＣＣＨは、インデックス値が３であるＣＣＥ上でスケジューリング割当てを伝える。第２のコンポーネントキャリア８０２におけるＳＡＩの値は１であり、この値は、第１のコンポーネントキャリア８０１の中で送られたスケジューリング割当てを指している。ＡＣＫ／ＮＡＣＫリソース７１１，７１２は、コンポーネントキャリアの一方において割り当てられているＰＤＣＣＨの最小のＣＣＥインデックスにリンクされている。ＣＣＥインデックスとＡＣＫ／ＮＡＣＫインデックスとの間のマッピングは、コンポーネントキャリアごとに行われる。上りリンクにおけるバンドリングされたＡＣＫ／ＮＡＣＫは、所定の（例えば最後の）コンポーネントキャリアに対応する１個のＡＣＫ／ＮＡＣＫリソースを使用して送信される。
【００８１】
図９は、第２のコンポーネントキャリア８０２における受信されなかった割当てをＳＡＩによって検出できない場合を示している。ｅＮＢにより、２個のコンポーネントキャリア８０１，８０２におけるスケジューリング割当てがスケジューリングされている。これに対応して、第１のコンポーネントキャリア８０１および第２のコンポーネントキャリア８０２において、それぞれ値０のＳＡＩおよび値１のＳＡＩが制御信号の中で送られる。上りリンクでは、これら２個のコンポーネントキャリアに対応するＡＣＫ／ＮＡＣＫリソースが予約される。コンポーネントキャリア８０２の中のＰＤＣＣＨスケジューリング割当てをＵＥが受信しなかったとき、この状況は、ＵＥの観点およびｅＮＢの観点では以下のように分析される。
【００８２】
ＵＥは、コンポーネントキャリア８０１の中のスケジューリング割当てを受信し、コンポーネントキャリア８０２の中のスケジューリング割当てを受信し損なうと、その後、ＡＣＫ／ＮＡＣＫ報告をバンドリングするときに第２のコンポーネントキャリア８０２を考慮しない。この理由として、ＵＥは第２のコンポーネントキャリア８０２の中のＰＤＣＣＨを受信しなかったため、その中のＳＡＩ情報を検出できないためである。したがって、コンポーネントキャリア８０１上のＰＤＳＣＨ送信が正常に行われた場合、ＵＥは応答信号として肯定応答（ＡＣＫ）を送る。しかしながら、コンポーネントキャリア８０２上のＰＤＳＣＨ送信が受信されていないため、コンポーネントキャリア８０１およびコンポーネントキャリア８０２の両方に対する実際の正しい共通応答信号は、否定応答（ＮＡＣＫ）である。したがって、たとえＳＡＩがシグナリングされても、第２のコンポーネントキャリアの中のＰＤＣＣＨを受信しなかった結果として、「ＮＡＣＫがＡＣＫとなる」誤りが生じ、したがって、ＵＥからｅＮＢへのＡＣＫ／ＮＡＣＫ報告の信頼性が低下する。このようなＵＥの挙動のさらなる結果として、コンポーネントキャリア８０２上のスケジューリングされたパケットを上位層（無線リンク制御層）が再送信し、さらなる時間リソースおよび無線リソースが消費される。
【００８３】
ｅＮＢは、受信したＡＣＫ／ＮＡＣＫに使用されたリソースに基づいて、ＵＥからのＡＣＫ／ＮＡＣＫ報告が信頼できないものであることを検出することができる。この場合、ＵＥによって使用されるＡＣＫ／ＮＡＣＫリソースは１個のみであるが、ｅＮＢは、コンポーネントキャリアの数に比例するＡＣＫ／ＮＡＣＫリソースを予約しなければならない。結果として、各ＵＥのためにｅＮＢが予約するＡＣＫ／ＮＡＣＫリソースが増大する。ｅＮＢは、信頼できない応答信号を検出したとき、そのＡＣＫ／ＮＡＣＫ報告にバンドリングされているコンポーネントキャリアをブラインド検出しなければならない。
【００８４】
ｅＮＢは、リンクされている複数のコンポーネントキャリアに対して１個のＡＣＫ／ＮＡＣＫリソースをＵＥに割り当てる場合、すべてのコンポーネントキャリアにおいて同じＣＣＥインデックスを割り当てなければならない。このようにすることで、すべてのコンポーネントキャリアにおけるそのＣＣＥインデックスが、１個のＡＣＫ／ＮＡＣＫリソースを指す。このことは、ｅＮＢのスケジューラに厳しい制約につながる。このケースにおいては、ｅＮＢは、ＡＣＫ／ＮＡＣＫ報告によってバンドリングされたコンポーネントキャリアをブラインド検出できないことがある。
【００８５】
したがって、たとえＳＡＩが送信される場合でも、信頼できないＡＣＫ／ＮＡＣＫ報告を回避することができない。信頼できないＡＣＫ／ＮＡＣＫ報告の結果として、上位層がデータ信号を再送信することに起因して必要なリソースが増大し、送信遅延が大きくなり、ブラインド復号化の場合には電力消費量および処理遅延が増大する。
【００８６】
ＬＴＥ  ＴＤＤにおけるＡＣＫ／ＮＡＣＫのバンドリングの原理を、複数のコンポーネントキャリアを有するシステム（例えばＬＴＥ−Ａ）に適用した例を使用して上に示したように、スケジューリング割当ての数（カウンタ）のみでは、コンポーネントキャリアにおける受信されなかったスケジューリング割当てを識別できないことがあり、本発明はこの考察に基づいている。
【００８７】
無線通信システムにおけるデータ信号に関連する制御信号の送信の信頼性および効率を高める目的で、本発明によると、特定のコンポーネントキャリアにおいてスケジューリング割当てが含まれたかを示す割当てマップ（ＡＭ）を、制御信号の中で提供する。
【００８８】
図１０は、このような割当てマップの例を概略的に示しており、コンポーネントキャリアに対する０は、そのコンポーネントキャリアにスケジューリング割当てが含まれていないことを指定し、コンポーネントキャリアに対する１は、そのコンポーネントキャリアにスケジューリング割当てが含まれていることを指定する。この割当てマップは、コンポーネントキャリアの制御信号の中に含めることができ、１個または複数の他のコンポーネントキャリアに関連するスケジューリング割当ての存在に関する情報を含んでいることができる。
【００８９】
図１１は、複数のコンポーネントキャリアを有する無線通信システムにおいてデータ信号および制御信号を送信／受信するための、本発明による送信装置および受信装置のブロック図である。送信器１１０１は、制御信号送信ユニット１１４０を備えており、このユニット１１４０は、チャネル１１５０上で制御信号１１３１を送信する。この制御信号送信ユニットは、無線通信システムを通じて制御信号を送るために必要であるさまざまな機能として、多重化機能、変調機能、符号化機能、およびパルス成形機能を備えていることができる。チャネル１１５０は、コンポーネントキャリアなど無線通信システムのリソース（時間スロット／シンボル、サブキャリア、拡散符号もしくはスクランブル符号またはその両方、アンテナの放射パターン、のうちの少なくとも１つ）によって定義されるチャネル（例えばコンポーネントキャリア）である。生成される（１１３０）制御信号１１３１は、スケジューリング割当て１１１１および割当てマップ１１２１を備えている。スケジューリング割当て１１１１は、割当てユニット１１１０によって生成され、データ信号を送信するのに使用されるリソースをコンポーネントキャリアに指定する。割当てマップ１１２１は、マップ生成ユニット１１２０によって求められ、別のコンポーネントキャリアがスケジューリング割当てを伝えているかを指定する。
【００９０】
受信器１１０２は、チャネル１１５０から制御信号を受信する制御信号受信ユニット１１６０を含んでいる。取り出しユニット１１７０は、制御信号からスケジューリング割当て１１７１および割当てマップ１１７２を取り出す。スケジューリング割当て１１７１および割当てマップ１１７２は、他のコンポーネントキャリアへのスケジューリング割当てが送られて受信されたかを評価するために使用される。他のコンポーネントキャリアへのスケジューリング割当ては、そのスケジューリング割当てが受信されたことを示す。第１のコンポーネントキャリアの中の割当てマップは、第２のコンポーネントキャリアの中のスケジューリング割当てが送られたかを示す。
【００９１】
したがって、コンポーネントキャリアの中のスケジューリング割当てが受信されなくても、そのキャリアについて、割当てが指定されたことが割当てマップによってシグナリングされる場合、受信されなかったスケジューリングの情報を検出することができる。したがって、受信されなかったスケジューリング割当ての検出の信頼性が高まる。特に、送信器は、ＬＴＥ（−Ａ）をベースとする無線通信システムにおけるＮｏｄｅＢ（例えばｅＮＢ）であり、受信器はこのようなシステムにおけるＵＥに対応する。
【００９２】
さらに、送信器１１０１は、スケジューリング割当て１１１１によって指定されるリソースの中でデータ信号を送信するデータ信号送信ユニット１１４０を備えている。さらに、送信器は、応答信号を受信するフィードバック受信ユニット１１４５を備えていることが好ましい。応答信号（ＡＣＫ／ＮＡＣＫ）は、第１のコンポーネントキャリアに対してスケジューリング割当て１１１１の中で指定されている、データ信号を送信するためのリソース、にリンクされている、応答信号を送信するためのリソース、の中で受信される。特に、応答信号は、２個以上のコンポーネントキャリアに対してバンドリングされる。
【００９３】
これに相応して、受信器１１０２は、スケジューリング割当て１１７１によって指定されるリソースの中でデータ信号を受信するデータ信号受信ユニット１１６０をさらに備えている。さらに、受信器１１０２は、応答信号を送信するフィードバック送信ユニット１１６５をさらに備えていることが好ましい。応答信号（肯定応答または否定応答）は、受信されたデータの正しさ、もしくは、評価ユニット１１８０によって実行された評価の結果、またはその両方に従って、送られる。
【００９４】
本発明の実施形態によると、アグリゲートされるコンポーネントキャリアとして、以下の２種類のコンポーネントキャリアが定義される。
−  ＡＣＫ／ＮＡＣＫリソース（応答信号を送信するためのリソース）がリンクされる基準コンポーネントキャリア。例えば、基準コンポーネントキャリアのＣＣＥインデックスがＡＣＫ／ＮＡＣＫリソースインデックスにリンクされる。
−  メンバーコンポーネントキャリア
【００９５】
図１２は、ＬＴＥ−Ａなどのシステムの例を示しており、各ＵＥに対して基準コンポーネントキャリア１２０１上のＰＤＣＣＨによって割当てマップ１２２１がシグナリングされる。割当てマップ１２２１は、メンバーコンポーネントキャリア１２０２に関する情報として、メンバーコンポーネントキャリアがスケジューリング割当てを含んでいるかを提供する。基準コンポーネントキャリア１２０１の中の割当てマップ１２２１によって、ＵＥは、（１個または複数の）メンバーコンポーネントキャリア１２０２における受信されなかったスケジューリング割当てを検出することができる。特に、割当てマップは、どのメンバーコンポーネントキャリアがスケジューリング割当てを伝えているかを示すビットマップとすることができる。基準コンポーネントキャリアのＰＤＣＣＨは、複数のＣＣＥを備えており、インデックス１を有するＣＣＥは、上りリンクにおける特定のＡＣＫ／ＮＡＣＫリソース１２１１にリンクされている。ＣＣＥインデックスとＡＣＫ／ＮＡＣＫリソースインデックスとの間のマッピングを定義する必要があり、これは任意の順列によって与えることができる。ＡＣＫ／ＮＡＣＫリソースは、この実施形態においては、つねに基準コンポーネントキャリアのみのＰＤＣＣＨにリンクされている。
【００９６】
ＵＥが、基準コンポーネントキャリア１２０１の中の受信されなかったスケジューリング割当ても検出できるようにする目的で、メンバーコンポーネントキャリア１２０２上のＰＤＣＣＨは、ＡＣＫ／ＮＡＣＫリソース１２１１にリンクしている、基準キャリアのＰＤＣＣＨにリンクしている情報１２２２をシグナリングする。このような情報１２２２は、例えば、基準コンポーネントキャリア１２０１のＰＤＣＣＨの中のＣＣＥの相対インデックス（ＲＩ）である。
【００９７】
一般的には、このようにして、２個以上のメンバーコンポーネントキャリア１２０２を１個の基準コンポーネントキャリアに関連付けることができる。基準コンポーネントキャリアは、メンバーコンポーネントキャリアそれぞれを参照する割当てマップを備えており、その一方で、各メンバーコンポーネントキャリアは、基準キャリアの中のＰＤＣＣＨを参照している相対インデックスを備えている。したがって、相対インデックスによって、基準コンポーネントキャリアに関連付けられる１個のＡＣＫ／ＮＡＣＫリソースとのリンクが可能であり、これにより、基準コンポーネントキャリアおよび（１個または複数の）メンバーコンポーネントキャリアに対するＡＣＫ／ＮＡＣＫバンドリングがサポートされる。ＵＥが、（基準コンポーネントキャリアおよびメンバーコンポーネントキャリアの中で送信されたＰＤＣＣＨのうち）少なくとも１個のＰＤＣＣＨを正しく復号化すれば、他のコンポーネントキャリアにおける受信されなかったスケジューリング割当ての検出の信頼性が高まる。さらには、この実施形態においては、ＡＣＫ／ＮＡＣＫリソースは１個の（基準）コンポーネントキャリアにリンクされるため、結果として、ＵＥあたり予約されるＡＣＫ／ＮＡＣＫリソースの数が減少する。
【００９８】
メンバーコンポーネントキャリアが２個以上である場合、基準コンポーネントキャリアのＰＤＣＣＨの中で送信される割当てマップは、図１３に示したように、（メンバー）コンポーネントキャリアごとのビットを有するビットマップに対応したものとすることができ、ビットはスケジューリング割当ての存在を示す。図１３においては、割当てマップ１３１０は４個のビット（番号：ビット０〜ビット３）を備えており、４個のビットそれぞれは、スケジューリング割当てが存在することを値１によって示し、スケジューリング割当てが存在しないことを値０によって示している。４個のビットそれぞれは、４個のメンバーコンポーネントキャリア１３０１，１３０２，１３０３，１３０４のうちの１個に関連付けられている。したがって、この実施形態においては、基準コンポーネントキャリアのＰＤＣＣＨの中の割当てマップフィールドのサイズはＮビットであり、Ｎはメンバーコンポーネントキャリアの数である。
【００９９】
ＵＥによって受信される少なくとも１個のメンバーコンポーネントキャリアにおいては、相対インデックスがＰＤＣＣＨ上でシグナリングされる。図１４に示したように、基準コンポーネントキャリア１４０１における各ＣＣＥアグリゲーションレベル（１，２，４，８）およびＣＣＥインデックス１４２０に対して、メンバーコンポーネントキャリア１４０２における可能なＣＣＥアグリゲーションレベルおよびＣＣＥインデックスのセットが存在する。メンバーコンポーネントキャリアにおけるこのような可能なＣＣＥアグリゲーションレベルおよびＣＣＥインデックスの例は、矢印１４１０によって示してある。
【０１００】
図１５に示したように、相対インデックス（ＲＩ）１５０１，１５０２は、メンバーコンポーネントキャリア１４０２におけるＣＣＥを、基準コンポーネントキャリア１４０１におけるＣＣＥアグリゲーションレベルおよびインデックス１４２０に関連付けるインデックス値とすることができる。矢印１５１１，１５１２，１５１３，１５１４は、メンバーコンポーネントキャリア１４０２における４個の異なるＣＣＥ（アグリゲーションレベル、インデックス）と、値「００」を有する同じ相対インデックス１５０１との関連付けを示している。ＵＥは、メンバーコンポーネントキャリアの中のＰＤＣＣＨを検出すると、このＰＤＣＣＨの中のＲＩ情報によって、基準コンポーネントキャリアの中のＣＣＥインデックスを検出することができる。図１５の例においては、メンバーコンポーネントキャリア上のＰＤＣＣＨスケジューリング割当て１５２０は、ＣＣＥアグリゲーションレベル１、ＣＣＥインデックス２上にある。（図１５にはＣＣＥインデックスを明示的に示していない。同じアグリゲーションレベルの中のインデックスの値は、最上段の１から始まり、下向きに１ずつ大きくなるものと想定する）  ＵＥがメンバーコンポーネントキャリア１４０２の中のＰＤＣＣＨを復号化するとき、ＲＩフィールド１５０１は、基準コンポーネントキャリア１４０１の中のＣＣＥを指している（１５１１）。このＲＩシグナリングによって、ＵＥは、基準コンポーネントキャリアの中の受信されなかった割当てを検出して、基準コンポーネントキャリアにリンクされているＡＣＫ／ＮＡＣＫリソースを求めることができ、これによって、ＵＥに予約されるＡＣＫ／ＮＡＣＫリソースが減少する。
【０１０１】
図１６は、本発明による制御信号の送信に使用することのできるフォーマットの３つの例１６０１，１６０２，１６０３を示している。割当てマップもしくは相対インデックスまたはその両方は、他の層１／層２制御データ（例えば、リソース割当て（スケジューリング割当て）、トランスポートフォーマット（ＴＦ）、冗長バージョン（ＲＶ）、新規データインジケータ（ＮＤＩ）、ＨＡＲＱプロセスＩＤ、ＣＲＣ／ＵＥ  ＩＤ）と一緒に、制御信号の中で送信することができる。
【０１０２】
メンバーコンポーネントキャリアおよび基準コンポーネントキャリア上のＣＣＥアグリゲーションレベルおよびインデックスの可能な組合せは、図１７に示したように制限されることが好ましい。図１７は、そのような可能な設定による、例としての４つのテーブル１７０１，１７０２，１７０３，１７０４を示している。
【０１０３】
表８は、符号語が１個の場合における、２個のコンポーネントキャリア（一方が基準コンポーネントキャリア、他方がメンバーコンポーネントキャリア）におけるスケジューリングの例を示している。
【０１０４】
【表８】
0005498506.tif 000014
【０１０５】
この例における想定として、図１７に示した相対インデックステーブル１７０１が有効であり、メンバーコンポーネントキャリアに対する、基準コンポーネントキャリア上の割当てマップの値が１であり（このメンバーコンポーネントキャリアの中にスケジューリング割当てが存在することを示す）、メンバーコンポーネントキャリアには値「００」を有する相対インデックスが設定されているものとする。
【０１０６】
ＵＥは、最初に基準コンポーネントキャリア上のＰＤＣＣＨを復号化するときには、以下のステップを実行する。ＵＥは、表８の第１列に従って、ＣＣＥアグリゲーションレベルを１として、ＣＣＥインデックスを１として識別する。ＵＥは、ＣＣＥアグリゲーションレベルおよびＣＣＥインデックスのこれらの情報に基づいて、対応するＡＣＫ／ＮＡＣＫリソースを、所定のマッピングを使用して求めることができる。次いで、ＵＥは、メンバーキャリアに対する割当てマップの値１（メンバーコンポーネントキャリアの中にスケジューリング割当てが存在することを示す）を検出する。
【０１０７】
ＵＥは、最初にメンバーコンポーネントキャリア上のＰＤＣＣＨを復号化するときには、以下のステップを実行する。ＵＥは、表８の第２列に従って、ＣＣＥアグリゲーションレベルを２、ＣＣＥインデックスを１として識別する。さらに、ＵＥは、値「００」を有する相対インデックスを受信し、これは、基準コンポーネントキャリアの中のスケジューリング割当てが、アグリゲーションレベル１およびＣＣＥインデックス１上であることを示している（図１７の表１７０１の第１行を参照）。ＵＥは、この場合も、基準コンポーネントキャリアにおけるこれら既知のＣＣＥアグリゲーションレベルおよびＣＣＥインデックスに基づいて、ＡＣＫ／ＮＡＣＫリソースインデックスを求めることができる。
【０１０８】
したがって、ＵＥは、基準コンポーネントキャリアを最初に読み取って、メンバーコンポーネントキャリア上のＰＤＣＣＨを受信しなかった場合、および、メンバーコンポーネントキャリアを最初に読み取って、基準コンポーネントキャリア上のＰＤＣＣＨを受信しなかった場合に、受信されていない可能性のあるスケジューリング割当てを求めることができ、さらに、ＡＣＫ／ＮＡＣＫリソースインデックスを求めることができる。
【０１０９】
基準コンポーネントキャリアに送信が存在せず、メンバーコンポーネントキャリアの中にスケジューリング割当てが存在する場合、ｅＮＢは、基準コンポーネントキャリアにおけるＣＣＥインデックス（上りリンクＡＣＫ／ＮＡＣＫリソースに対応する）を依然として予約することができる。ＡＣＫ／ＮＡＣＫリソースの衝突を回避するため、このＣＣＥインデックスが他のＵＥに割り当てられることを阻止することができる。基準コンポーネントキャリアにおける共通探索空間領域およびメンバーコンポーネントキャリアにおけるＵＥ固有の探索空間領域に送信が存在するケースにおいては、同様に、基準コンポーネントキャリアのＣＣＥインデックスをＡＣＫ／ＮＡＣＫリソースインデックスにリンクすることが依然として可能である。基準コンポーネントキャリアに送信が存在しない場合、符号点（code point）を予約することも可能であり、これによりＵＥは、送信が存在しなかったことを識別することができる。
【０１１０】
本発明は、バンドリングされたすべてのコンポーネントキャリアにおける受信されなかった割当てをほぼ完璧に検出することによって、ＵＥ側におけるＡＣＫ／ＮＡＣＫ報告の信頼性を向上させる。ＵＥは、基準コンポーネントキャリアおよびメンバーコンポーネントキャリアの両方についてスケジューリング割当ての情報を有する。さらに、これによって、あらゆる場合においてＡＣＫ／ＮＡＣＫ報告を正しくバンドリングすることができ、なぜなら、ＵＥは、リンクされたコンポーネントキャリアの少なくとも１個のＰＤＣＣＨを正しく検出することによって、受信されなかったスケジューリング割当てに関する情報を有するためである。したがって、ＵＥからのＡＣＫ／ＮＡＣＫ報告のバンドリングは、ほとんどの場合に正しい。本発明の別の利点として、ＡＣＫ／ＮＡＣＫリソースはつねに基準コンポーネントキャリアにリンクされるため、ＵＥに対して予約されるＡＣＫ／ＮＡＣＫリソースを減少させることが可能である。基準コンポーネントキャリアが１個のみである場合、ＵＥに必要なＡＣＫ／ＮＡＣＫリソースは１個のみである。さらに、ｅＮＢは、不必要に予約されたＡＣＫ／ＮＡＣＫリソースに対してブラインド検出を実行する必要がない。
【０１１１】
本発明の別の利点は、ＣＣＥの制限に起因するスケジューラの制約が緩和されることである。すべてのコンポーネントキャリアにおいて、複数の異なるＣＣＥ位置を使用することができる。ＵＥは、受信されなかった割当てを認識しているため、コンポーネントキャリアごとのＤＲＸ動作も堅牢である。ＵＥおよびｅＮＢのいずれも、ＵＥがスケジューリング割当てを受信しなかったことを認識している。このようにすることで、ＵＥとｅＮＢとが同期した状態に維持される。スケジューリング割当ては、リンクされているコンポーネントキャリアにおいて認識されるため、ＰＤＣＣＨのブラインド復号化の回数が減少する。ＲＩを使用することで、ＵＥは、基準コンポーネントキャリアの中の正確なＣＣＥインデックス割当てを知ることができ、これによって、基準コンポーネントキャリアの中のＰＤＣＣＨのブラインド復号化の回数を減少させることができる。各コンポーネントキャリアについての割当てマップをシグナリングすることと、すべてのコンポーネントキャリアまたはメンバーコンポーネントキャリアのみにおいて相対インデックスをシグナリングすることによって、メンバーコンポーネントキャリアの中のＰＤＣＣＨのブラインド復号化の回数を減少させることも可能である。さらには、ＵＥは、コンポーネントキャリアに送信が存在しない場合にはＰＤＣＣＨ割当ての探索を試みないため、電力を節約することができる。ＵＥは、基準コンポーネントキャリアおよびメンバーコンポーネントキャリアの中のスケジューリング割当てを認識している。リンクされているコンポーネントキャリアの１個にスケジューリング割当てが存在しない場合、ＵＥは、電力を節約する目的でＰＤＣＣＨの探索を停止することができる。
【０１１２】
本発明の別の実施形態によると、基準コンポーネントキャリアおよび１個または複数のメンバーコンポーネントキャリアの両方が、割当てマップをシグナリングする。
【０１１３】
本発明のいずれの実施形態においても、割当てマップのフォーマットは、図１３を参照しながら上述したビットマップに限定されない。図１８は、メンバーコンポーネントキャリアの数が２個以上の場合の割当てマップの別の例を示している。この場合、各コンポーネントキャリアの割当てマップは、少なくとも１個のコンポーネントキャリアの中のスケジューリング割当てを示す、所定の数のビットによって表される値、をシグナリングする。このような割当てマップをシグナリングするために要求されるＰＤＣＣＨビットの数は、シグナリングされる割当てマップが対象とするリンクされたコンポーネントキャリアの数に依存する。２個のコンポーネントキャリアがリンクされている場合、各コンポーネントキャリアにおいて、他方のコンポーネントキャリアがスケジューリング割当てを含んでいるかをシグナリングするため１個のビットが必要である。リンクされるコンポーネントキャリアが３個、４個、および５個の場合、それぞれ、割当てマップには２ビット、３ビット、および４ビットが必要である。図１８は、リンクされるコンポーネントキャリアが４個の場合のさまざまなスケジューリング割当ての組合せに対する、このようなシグナリングの例を示している。３個のビットｂ０，ｂ１，ｂ２は、４個のコンポーネントキャリアそれぞれの割当てマップを形成している。これら３個のビットは、コンポーネントキャリアごとに、表の該当する列（ＰＤＣＣＨ１〜４）に対応する異なる意味を持つ。例えば、割当てマップのビット「０１１」は、コンポーネントキャリア２（ＰＤＣＣＨ２）においては、コンポーネントキャリア２およびコンポーネントキャリア４にスケジューリング割当てが含まれていることを示している。割当てマップの同じビット「０１１」は、コンポーネントキャリア４（ＰＤＣＣＨ４）においては、コンポーネントキャリア４およびコンポーネントキャリア３にスケジューリング割当てが含まれていることを示している。
【０１１４】
ＣＣＥインデックスからＡＣＫ／ＮＡＣＫインデックスへのマッピングを、基準コンポーネントキャリアに対してのみ実行することができる。相対インデックスはシグナリングされないため、基準コンポーネントキャリア上に割り当てられているＣＣＥインデックスをメンバーコンポーネントキャリアから認識できる必要がある。これは、図１９に示したように、基準コンポーネントキャリアとメンバーコンポーネントキャリアとに同じＣＣＥインデックスを割り当てることによって達成することができ、３個のコンポーネントキャリア１９０１，１９０２，１９０３は、同じＡＣＫ／ＮＡＣＫリソース１９１１にリンクされている同じＣＣＥインデックス１を有する。ＡＣＫ／ＮＡＣＫリソース１９１２および１９１３は、割り当てる必要がない。
【０１１５】
図２０は、基準コンポーネントキャリアおよびメンバーコンポーネントキャリアにおけるＣＣＥインデックス処理の代替方法を示しており、この方法では、基準コンポーネントキャリアおよびメンバーコンポーネントキャリアの両方に同じＣＣＥ位置を割り当てる必要がない。基準コンポーネントキャリアおよびメンバーコンポーネントキャリアの両方においてＣＣＥを独立して割り当てることも可能である。しかしながら、このような場合におけるＣＣＥインデックスからＡＣＫ／ＮＡＣＫインデックスへのマッピングは、コンポーネントキャリアごとに実行される。受信されなかった割当ての検出の信頼性は、上述したソリューションの場合と同じままである。しかしながら、図２１に示したように、追加のＡＣＫ／ＮＡＣＫリソースが要求される。
【０１１６】
本発明のさらに別の実施形態によると、図２２に示したように、基準コンポーネントキャリアが割当てマップをシグナリングし、メンバーコンポーネントキャリアが、割当てマップおよび相対インデックス（ＲＩ）をシグナリングする。この場合、１個のＡＣＫ／ＮＡＣＫリソースを基準コンポーネントキャリアにリンクすることが可能である。ＵＥは、相対インデックスをシグナリングする、メンバーコンポーネントキャリアのＰＤＣＣＨを検出することによって、ＡＣＫ／ＮＡＣＫリソースインデックスにリンクされた基準コンポーネントキャリアのＣＣＥインデックスを認識する。この実施形態においては、メンバーコンポーネントキャリアの間で受信されなかった割当てを検出することが可能である（２個以上のメンバーコンポーネントキャリアの場合）。
【０１１７】
本発明のさらに別の実施形態によると、図２３に示したように、メンバーコンポーネントキャリアのみならず基準コンポーネントキャリアが、割当てマップおよび相対インデックス（ＲＩ）をシグナリングする。ＵＥは、メンバーコンポーネントキャリアの中の割当てマップによって、メンバーコンポーネントキャリアにおける受信されなかった割当てを検出することができる。さらには、基準コンポーネントキャリアおよびメンバーコンポーネントキャリアの両方において相対インデックス位置をシグナリングすることによって、ＵＥは、ＰＤＣＣＨ割当てに使用されるＣＣＥインデックスに関する情報の精度を高めることができる。ＵＥは、少なくとも１個のＰＤＣＣＨを検出すれば、各コンポーネントキャリアの中のスケジューリング割当てに関する情報をＰＤＣＣＨの割当てマップフィールドから取得し、各コンポーネントキャリアの中のＣＣＥ割当てに関する情報をＰＤＣＣＨのＲＩフィールドから取得する。２個以上のコンポーネントキャリアにおけるＲＩの情報によって、ブラインド復号化の回数をさらに減らすことができ、ＵＥは電力を節約することができる。
【０１１８】
ＰＵＣＣＨにおけるＡＣＫ／ＮＡＣＫの送信、またはＰＵＳＣＨにおいてＡＣＫ／ＮＡＣＫおよびデータを多重化する場合にも、受信されなかったスケジューリング割当てを検出する目的に本発明を適用することができる。一般的には、本発明は、下りリンクでスケジューリング割当てを送信して上りリンクで応答を送信する方式に制限されない。
【０１１９】
ＡＣＫ／ＮＡＣＫのバンドリングは、全体的または部分的とすることができる。全体的なバンドリングにおいては、ＡＣＫ／ＮＡＣＫ報告のバンドリング対象として設定されるリンクされたコンポーネントキャリアすべてをバンドリングし、１つの応答信号を送信する。部分的なバンドリングにおいては、図２４に示したように、１つの応答信号に対応するリンクされたコンポーネントキャリアの束を複数個形成することができる。４個のコンポーネントキャリア２４０１，２４０２，２４０３，２４０４は、部分的にバンドリングされている。バンドリングウィンドウ２４１１の中でコンポーネントキャリア２４０１および２４０２がバンドリングされ、１つのＡＣＫ／ＮＡＣＫ報告２４２１が割り当てられる。バンドリングウィンドウ２４１２の中でコンポーネントキャリア２４０３および２４０４がバンドリングされ、１つのＡＣＫ／ＮＡＣＫ報告２４２２が割り当てられる。
【０１２０】
図２５は、部分的にバンドリングされたウィンドウごとに１個のＡＣＫ／ＮＡＣＫリソースを割り当てることが可能であることを示している。部分的なバンドリングでは、全体的なバンドリングの場合と比較して、再送信の確率をさらに減らすことができる。コンポーネントキャリアの数は、部分的にバンドリングされた（サブバンドリング）ウィンドウそれぞれにおいて異なっていてもよい。さらには、部分的なバンドリングの場合、図２５に示したように、基準コンポーネントキャリアを２個以上とすることができる。サブ（部分的）バンドリングウィンドウあたり１個の基準コンポーネントキャリアが存在することが好ましい。図２６は代替方法を示しており、２個以上のサブ（部分的）バンドリングウィンドウに対して１個のみの基準コンポーネントキャリアが共通である。
【０１２１】
本発明のさらに別の実施形態によると、ＭＩＭＯ  ＳＤＭ（Spatial Division Multiplexing：空間分割多重）においては、図２７に示したように、符号語ごとに、すべてのコンポーネントキャリアにまたがってバンドリングを実行することができる。さらに、図２８に示したように、コンポーネントキャリアごとに、複数の符号語にまたがってＡＣＫ／ＮＡＣＫをバンドリングすることも可能である。全体的なバンドリングおよび部分的なバンドリングの両方を使用して、３個以上の符号語に本発明を適用することもできる。バンドリングされたＡＣＫ／ＮＡＣＫ報告は、１つのＡＣＫ／ＮＡＣＫ報告として送信することができ、あるいは、ＡＣＫ／ＮＡＣＫビットを多重化して集合的なＡＣＫ／ＮＡＣＫ報告を送信することができる。
【０１２２】
コンポーネントキャリアの数は、上りリンクと下りリンクとで同じ（対称的）、または異なっている（非対称的）ことができる。複数のコンポーネントキャリアを有する（帯域幅のアグリゲーション）ＴＤＤモードの場合、１個の無線フレームの中に複数の下りリンクサブフレームに対する複数のコンポーネントキャリアが存在する。例えば、コンポーネントキャリアはサブフレームごとに異なっていることができる。サブフレームは、１個のコンポーネントキャリアを備えることができる。このようなシナリオにおいては、ＡＣＫ／ＮＡＣＫバンドリングのさまざまな可能な方式を適用することができる。
【０１２３】
図２９は、下りリンクサブフレームそれぞれにおける少なくとも１個のコンポーネントキャリアのＰＤＣＣＨ中のＤＡＩ情報に基づいて、サブフレームレベルにおいて受信されなかったスケジューリング割当てを検出する目的で、ＬＴＥリリース８のＴＤＤコンセプトを適用する方法を示している。本発明を直接適用することによって、各サブフレーム内のリンクされたコンポーネントキャリアに対する受信されなかった割当てを検出することができる。
【０１２４】
図３０は、（本発明の方法において）コンポーネントキャリアを下りリンクサブフレームに置き換えることによって、本発明を適用して、受信されなかった下りリンクサブフレームを検出する方法を示している。図３０には、下りリンクサブフレームそれぞれにおけるコンポーネントキャリアのＰＤＣＣＨの１個における割当てマップもしくは相対インデックスまたはその両方を示してある。割当てマップもしくは相対インデックスまたはその両方をシグナリングすることによって、ＵＥは、バンドリングウィンドウの中の下りリンクサブフレームの受信されなかった割当てを検出することができる。スケジューリングも、バンドリングウィンドウに基づいて行うことができる。
【０１２５】
ここまで、ＬＴＥに固有の手順について説明してきたが、これは、本文書に記載したＬＴＥに固有な例示的な実施形態を良好に理解できるようにするためであり、本発明は、移動通信ネットワークにおけるプロセスおよび機能の記載した特定の実施形態に限定されないことを理解されたい。同様に、ＬＴＥに固有の用語を使用してきたが、本発明の重要な発想および態様の説明を容易にするためであり、本発明はＬＴＥシステムに限定されないことを理解されたい。
【０１２６】
本発明の別の実施形態は、上述したさまざまな実施形態をハードウェアおよびソフトウェアを使用して実施することに関する。本発明のさまざまな実施形態は、コンピューティングデバイス（プロセッサ）を使用して実施または実行することができる。コンピューティングデバイスまたはプロセッサは、例えば、汎用プロセッサ、デジタル信号プロセッサ（ＤＳＰ）、特定用途向け集積回路（ＡＳＩＣ）、フィールドプログラマブルゲートアレイ（ＦＰＧＡ）、またはその他のプログラマブルロジックデバイスとすることができる。本発明のさまざまな実施形態は、これらのデバイスの組合せによって実行あるいは具体化することもできる。
【０１２７】
さらに、本発明のさまざまな実施形態は、ソフトウェアモジュールによって実施することもでき、これらのソフトウェアモジュールは、プロセッサによって実行される、あるいはハードウェアにおいて直接実行される。さらに、ソフトウェアモジュールとハードウェア実装とを組み合わせることも可能である。ソフトウェアモジュールは、任意の種類のコンピュータ可読記憶媒体、例えば、ＲＡＭ、ＥＰＲＯＭ、ＥＥＰＲＯＭ、フラッシュメモリ、レジスタ、ハードディスク、ＣＤ−ＲＯＭ、ＤＶＤなどに格納することができる。
【０１２８】
ほとんどの例は、３ＧＰＰベースの通信システム（特にＬＴＥ）に関連して概説してあり、用語は主として３ＧＰＰの用語に関連している。しかしながら、さまざまな実施形態の説明および用語が３ＧＰＰベースのアーキテクチャに関連していることは、本発明の原理および発想をそのようなシステムに限定することを意図するものではない。
【０１２９】
さらには、ＬＴＥにおけるリソースマッピングについて詳しく説明したが、これは、本文書に記載した、ほとんどが３ＧＰＰに固有の例示的な実施形態を良好に理解することを目的としており、本発明は、移動通信ネットワークにおけるプロセスおよび機能の記載した特定の実施形態に限定されないことを理解されたい。しかしながら、本文書に提案した改良・改善は、記載したアーキテクチャにおいて容易に適用することができる。さらには、本発明の概念は、現在３ＧＰＰによって検討されているＬＴＥ  ＲＡＮ（無線アクセスネットワーク）においても容易に使用することができる。
【０１３０】
要約すれば、本発明は、複数のコンポーネントキャリアを有する通信システムにおいてデータ信号および制御信号を送信もしくは受信または送受信する方法および装置、を提供する。第１のコンポーネントキャリアの制御信号において、スケジューリング割当てと一緒に割当てマップをシグナリングし、割当てマップは、別の（第２の）（１個または複数の）コンポーネントキャリアがスケジューリング割当てを含んでいるか、もしくは、どのコンポーネントキャリアがスケジューリング割当てを含んでいるかを指定する。第１および第２のコンポーネントキャリアの中の制御信号に基づいて、第２のコンポーネントキャリアにおいてスケジューリング割当てが送られて受信されたかを評価する。
【図１】
0005498506.tif 000015
【図２】
0005498506.tif 000016
【図３】
0005498506.tif 000017
【図４】
0005498506.tif 000018
【図５】
0005498506.tif 000019
【図６】
0005498506.tif 000020
【図７】
0005498506.tif 000021
【図８】
0005498506.tif 000022
【図９】
0005498506.tif 000023
【図１０】
0005498506.tif 000024
【図１１】
0005498506.tif 000025
【図１２】
0005498506.tif 000026
【図１３】
0005498506.tif 000027
【図１４】
0005498506.tif 000028
【図１５】
0005498506.tif 000029
【図１６】
0005498506.tif 000030
【図１７】
0005498506.tif 000031
【図１８】
0005498506.tif 000032
【図１９】
0005498506.tif 000033
【図２０】
0005498506.tif 000034
【図２１】
0005498506.tif 000035
【図２２】
0005498506.tif 000036
【図２３】
0005498506.tif 000037
【図２４】
0005498506.tif 000038
【図２５】
0005498506.tif 000039
【図２６】
0005498506.tif 000040
【図２７】
0005498506.tif 000041
【図２８】
0005498506.tif 000042
【図２９】
0005498506.tif 000043
【図３０】
0005498506.tif 000044
【図３１】
0005498506.tif 000045